(57)【要約】【課題】作業者の熟練度に関係なく、均一・確実な装着が可能で、美観的にも優れた防水用キャップの取付工法及び防水用キャップ。【解決手段】頭部１ａに穴１ｂを穿設した防水用キャップ１を用い、建築物の屋上部、あるいは壁部の基材Ｘに固定部材２で締付固定後、基材表面から露出した固定部材の頭部２ａを、前記キャップで被覆する施工作業において、前記キャップの内面下部付近に凸条リブ１ｃを形成し、該防水用キャップの底部１ｄから、内部にシール接着剤Ｙを注入する工程と、該接着剤を充填したキャップを、前記固定部材の頭部に被せる工程と、被せたキャップの下縁部１ｅを、基材表面に圧着した後、キャップを摺動しながら所定角度ほど回転させる工程と、前記穴から溢出したシール接着剤を拭き取り、キャップ内部をシール接着剤で充填する工程からなる。【選択図】  図１
2019131970.tif 000002
【特許請求の範囲】
【請求項１】
屋上防水工事等の建築工事に使用し、頭部（１ａ）に穴（１ｂ）を穿設した防水用キャップ（１）を用い、建築物の屋上部、あるいは壁部の基材（Ｘ）にアンカーボルト等の固定部材（２）で締付固定した後、基材表面から露出した固定部材の頭部（２ａ）を、前記防水用キャップ（１）で被覆する施工作業において、
前記防水用キャップ（１）の内面下部付近に凸条リブ（１ｃ）を形成しておき、
該防水用キャップの底部（１ｄ）から、内部にシール接着剤（Ｙ）の適量を注入する工程と、
該シール接着剤（Ｙ）を充填した防水用キャップ（１）を、前記固定部材（２）の頭部（２ａ）に被せる工程と、
被せた防水用キャップ（１）の下縁部（１ｅ）を、基材（Ｘ）表面に圧着した後、防水用キャップ（１）を摺動しながら所定角度ほど回転させる工程と、
前記防水用キャップ（１）の頭部（１ａ）に穿設した穴（１ｂ）から溢出したシール接着剤（Ｘ）を拭き取り、キャップ内部をシール接着剤（Ｙ）で充填する工程からなる
ことを特徴とする建築工事において使用する防水用キャップの取付施工方法。
【請求項２】
前記摺動しながら所定の角度回転させる工程の、所定角度が、半回転（１８０度）乃至一回転（３６０度）内である
ことを特徴とする請求項１記載の建築工事において使用する防水用キャップの取付施工方法。
【請求項３】
前記防水用キャップ（１）の穴（１ｂ）に、適宜な長さの防鳥用の針金（Ｚ）を差し込む工程と、
針金（Ｚ）を差し込んだ防水用キャップ（１）の底部からシール接着剤（Ｙ）を注入し
針金（Ｚ）とシール接着剤（Ｙ）を注入した防水用キャップ（１）を、基材（Ｘ）表面に圧着した後、防水用キャップ（１）を摺動しながら所定角度回転させて停止する工程からなる
ことを特徴とする請求項１または２記載の建築工事において使用する防水用キャップの取付施工方法。
【請求項４】
建築物の屋上部、あるいは壁部の基材（Ｘ）にビスアンカー等の固定部材（２）で締付固定した後、基材表面から露出した固定部材の頭部（２ａ）を被覆する防水用キャップ（１）であって、頭部（１ａ）に穴（１ｂ）を穿設し、且つ、該防水用キャップ（１）の内面下部付近に凸条リブ（１ｃ）を形成した
ことを特徴とする建築用工事において使用する防水用キャップ。
【請求項５】
前記凸条リブ（１ｃ）が、リング状である
ことを特徴とする請求項４記載の建築用工事において使用する防水用キャップ。
【発明の詳細な説明】
【技術分野】
【０００１】
この発明は、建築工事において使用する防水用キャップの取付施工方法及び防水用キャップに関するものであり、特に、屋上防水工事や、壁部に貼り付ける金属パネルを固定する際に使用するビスアンカー等の固定部材の頭部を被覆して防水する防水キャップの取付施工方法及び防水キャップに関するものである。
【背景技術】
【０００２】
従来、建物の屋上やバルコニーなどの周囲に形成されたパラペットに使用する防水シートの端部、あるいは端部付近にアルミ製やステンレス製の押えアングル等を使用し、防水シートの端部を密着させている。その押えアングルを取り付ける手段として、パラペットにビスアンカーを一定の間隔で取り付け、締付固定している。
【０００３】
しかし、通常、ビスアンカーの削孔クリアランスから雨水が浸入するため、ビス頭をシーリング材で円型にシールをして、雨水の浸入を防止しているが、シールは肉厚も均一ではなく、シーリング材の紫外線劣化等により、数年でビス頭が露出することになり、防水シートは確実に機能しているにもかかわらず、押えアングルに取り付けたビスアンカー切削クリアランスから雨水が浸入し、防水シートやＦＲＰ防水材の内部（シートと下地）が漏水するという問題が多く発生している。
【０００４】
この問題に対し、防止対策として耐候性プラスチック製素材で構成したキャップを製造し、該キャップ内側部にシーリング材を注入し、該キャップを押えアングルに圧着して固定していた。該キャップにはその頭部に小さな穴を穿設しており、シーリング材を注入し該キャップをアングルに押圧することにより、充填したシーリング材でキャップ内の空気を排出し、アングルに密着させて接着するキャップは、既に本願出願人が開発して意匠登録をしている。例えば、特許文献１のように。
【先行技術文献】
【特許文献】
【０００５】
意匠登録第１２２０６７６号公報
【０００６】
しかしながら、シーリング材を注入したキャップをビスアンカーの頭部に被せて装着する施工作業は、施工する作業者によっては力加減等が異なり、相当数のキャップを一個ずつ装着する施工作業では全てが均一な施工はできず、不完全であるとキャップに注入したシール接着剤が基材に付着しない状態となり、密着が不完全となり長期の保持ができず、太陽光による熱にさらされる高温環境下においては、内部の残存空気が膨張してキャップが浮き上がりアングルとの間に隙間が生じ、ビスアンカーが露出し、その隙間より雨水等が浸入し取り付けたビスアンカーの頭部に錆が発生し、やがてはビスアンカーとパラペットの隙間から内部に入り込み雨漏りの原因ともなる恐れがある。
【０００７】
また、屋上防止工事では、防水シートと、該防水シートの端部に装着するアングルを介して締付固定するビスアンカー、壁部に貼り付ける金属製壁パネルを取り付ける際も一定の間隔でビスアンカーにより取り付けられるが、これらの素材とビスアンカーとのクリアランスから雨水が浸入し、これらビスアンカーに錆汁が発生し、特に壁には金属パネルに筋のように錆汁が垂れ下がり、見た目にも見苦しいという欠点があった。
【発明の概要】
【発明が解決しようとする課題】
【０００８】
そこでこの発明は、公知のキャップを改良した防水キャップを用いて取付工事をする際、作業者の熟練度に関係なく、簡単な方法で熟練者と同様に装着ができ、均一・確実な施工が可能であり、ビスアンカーで屋上材や壁材の保持が確実に出来る事は勿論、美観的にも優れた，建築工事において使用する防水用キャップの取付施工方法及び防水用キャップを開発・提供するものである。
【課題を解決するための手段】
【０００９】
この発明の建築工事において使用する防水用キャップの取付施工方法は、
屋上防水工事等の建築工事に使用し、頭部に穴を穿設した防水用キャップを用い、建築物の屋上部、あるいは壁部の基材にビスアンカー等の固定部材で締付固定した後、基材表面から露出した固定部材の頭部を、前記防水用キャップで被覆する施工作業において、
前記防水用キャップの内面下部付近に凸条リブを形成しておき、
該防水用キャップの底部から、内部にシール接着剤の適量を注入する工程と、
該シール接着剤を充填した防水用キャップを、前記固定部材の頭部に被せる工程と、
被せた防水用キャップの下縁部を、基材表面に圧着した後、防水キャップを摺動しながら所定角度ほど回転させる工程と、
該回転作業を、防水用キャップを半回転させた時点で停止する工程と、
前記防水用キャップの頭部に穿設した穴から溢出したシール接着剤を拭き取り、キャップ内部をシール接着剤で充填する工程からなる
ことを特徴とする。
【００１０】
また、
前記摺動しながら所定角度ほど回転させる工程の所定角度が、半回転（１８０度）乃至一回転（３６０度）内である
ことを特徴とする。
【００１１】
そして、
前記防水用キャップの穴に、適宜な長さの防鳥用の針金を差し込む工程と、
針金を差し込んだ防水用キャップの底部からシール接着剤を注入し針金とシール接着剤を注入した防水用キャップを、基材表面に圧着した後、防水用キャップを摺動しながら所定角度回転させて停止する工程からなる
ことを特徴とする。
【００１２】
この発明の、建築工事において使用する防水用キャップは、
建築物の屋上部、あるいは壁部の基材にビスアンカー等の固定部材で締付固定した後、基材表面から露出した固定部材の頭部を被覆する防水用キャップであって、
頭部に穴を穿設し、且つ、該防水用キャップの内面下部付近に凸条リブを形成した
ことを特徴とする。
【００１３】
また、
前記凸条リブが、リング状である
ことを特徴とする。
【発明の効果】
【００１４】
この発明によると、内面下部付近に凸条リブを形成した防水用キャップを用いて、基材に締付固定された固定部材の頭部を囲み、基材に圧着しながら、半回転ほど（捻じった状態）摺動させることにより、防水用キャップ内壁及び該内壁に形成した凸条リブが、注入されたシール接着剤とは、キャップ側が半回転することにより混練状態となり、より密接して接着でき接着力が増長され、風圧や振動等に耐えられる等の有益なる効果を奏する。
【００１５】
また、この発明によると、防水用キャップ頭部に穿設した穴と内部に注入されたシール接着剤を利用して、未硬化中に針金を差し込むことで屋上に飛来するカラス、鳩等の鳥類を避け、鳥類の糞が基材に付着することを防止でき、基材表面が腐食しないとの効果を奏するものである。
【図面の簡単な説明】
【００１６】
【図１】この発明の使用工程の一実施例を示す説明図である。
【図２】この発明に使用する防水用キャップの一実施例を示し、（Ａ）は、平面図であり、（Ｂ）は、正面図であり、（Ｃ）は、底面図であり、（Ｄ）は、断面図である。
【図３】この発明に使用する防水用キャップの他の実施例を示し、（Ａ）は、平面図であり、（Ｂ）は、正面図であり、（Ｃ）は、底面図であり、（Ｄ）は、断面図である。
【図４】この発明の一使用状態を示す一部を切り欠いた断面図である。
【図５】この発明の他の使用状態を示す一部を切り欠いた断面図である。
【図６】この発明のさらに他の使用状態を示す一部を切り欠いた断面図である。
【発明を実施するための形態】
【００１７】
以下、本発明について詳細に説明する。なお、本発明においては、以下に記述の限定されるものではなく、本発明の要旨を逸脱しない範囲においては適宜変更可能である。
【実施例】
【００１８】
次に、この発明の一実施例を図面に従って説明すると、この発明は、屋上防水工事等の建築工事に使用し、頭部（１ａ）に穴（１ｂ）を穿設した防水用キャップ（１）を用い、建築物の屋上部、あるいは壁部の基材（Ｘ）をビスアンカー等の固定部材（２）で締付固定した後、基材表面から露出した固定部材の頭部（２ａ）を、前記防水用キャップ（１）で被覆する施工作業において、前記防水用キャップ（１）の内面下部付近に凸条リブ（１ｃ）を形成しておき、該防水用キャップの底部（１ｄ）から、内部にシール接着剤（Ｙ）の適量を注入する工程と、該シール接着剤（Ｙ）を充填した防水用キャップ（１）を、前記固定部材（２）の頭部（２ａ）に被せる工程と、被せた防水用キャップ（１）の下縁部（１ｅ）を、基材（Ｘ）表面に圧着した後、防水用キャップ（１）を摺動しながら所定角度ほど回転させる工程と、前記防水用キャップ（１）の頭部（１ａ）に穿設した穴（１ｂ）から溢出したシール接着剤（Ｙ）を拭き取り、キャップ内部をシール接着剤（Ｙ）で充填する工程からなることを特徴とする建築工事において使用する防水用キャップの取付施工方法から構成されるものである。そして、図中の（Ｗ）は、固定部材（ビスアンカー）（２ａ）の頭をシールして雨水の浸入を防止するワッシャー状のシーリング材である。さらに、ビスアンカーは、一定の肉厚で形成するものである。
【００１９】
なお、前記摺動しながら所定角度回転させる工程の所定角度は、半回転（１８０度）乃至一回転（３６０度）内である。
【００２０】
また、前記基材（Ｘ）とは、例えば、図４に示すように、建築物の屋上部に位置するパラペレットの躯体（３０）を被覆する屋上防水シート材（４０）の端部あるいは端部付近に設けるアルミ製・ステンレス製のアングル材（５０）、図５に示す笠木（６０）、さらに、図６に示すように、躯体を構成する壁に装着する壁板材（７０）等をいう。
【００２１】
また、固定部材（２）とは、ビスアンカー、ねじ、ボルト、釘、ビス等をいい、シール接着剤（Ｙ）とは、具体的にはシリコン、または、変性シリコン系シール接着剤である。該シール接着剤（Ｙ）を防水用キャップ（１）内に注入した後、固定部材（２）に装着する。しかし、シール接着剤（Ｙ）は気候により異なるが、硬化するまで約、半日程度の時間を要するが、粘着性に優れており施工直後から剥がれる等の問題はない。
【００２２】
次に、この発明のうち、防水用キャップの取付施工方法の発明を詳述すると、先ず、基材（Ｘ）に固定部材（２）を締付固定する（図１に示すＡ工程を参照）。次に、防水用キャップ（１）の頭部（１ａ）を摘まんで逆さに持ち、該防水用キャップ（１）の底部（１ｄ）からシール接着剤（Ｙ）を注入する（図１に示すＢ工程を参照）。さらに、内部にシール接着剤（Ｙ）を注入した防水用キャップ（１）を固定部材（２）の頭部（１ａ）が、防水用キャップ（１）の中心となるよう被せ、基材（Ｘ）に当接する（図１に示すＣ肯定を参照）。そして、基材（Ｘ）に当接したシール接着剤（Ｙ）入りの防水用キャップ（１）を摘まみ、所定角度ほど回転させる（図１に示すＤ工程を参照）ことを特徴とするものである。
【００２３】
なお、余分のシール接着剤（Ｙ）が、防水用キャップ（１）の頭部（１ａ）に形成した穴（１ｂ）から溢出する状態を見ることにより、充填状態を確認出来たことは公知であるが、防水用キャップ（１）内の空気が全て排出されたことも確認でき、内部の残余空気が高温になり膨張し、防水用キャップ（１）が破裂し、破損することがない。
【００２４】
また、前記防水用キャップ（１）の穴（１ｂ）に、適宜な長さ（５〜１０ｃｍ程度）の針金（Ｚ）を差込んで固定することにより、鳩等の鳥類が近寄ることを防止できる。また、前記針金の間隔としては、約１５ｃｍほどである。
【００２５】
次に、この発明のうち、物の発明である防水用キャップは、図２に示すように建築物の屋上部、あるいは壁部の基材にビスアンカー等の固定部材（２）で締付固定した後、基材表面から露出した固定部材の頭部を被覆する防水用キャップであって、頭部（１ａ）に穴（１ｂ）を穿設し、且つ、該防水用キャップ（１）の内面下部付近に凸条リブ（１ｃ）を形成したことを特徴とする防水用キャップである（図２参照）。
【００２６】
また、前記凸条リブ（１ｃ）は、防水用キャップ（１）の内壁にリング状に形成されたことにより、防水用キャップが内部の硬化したシール接着剤（Ｙ）と剥離・離脱しないように構成したものであるが、該凸条リブの断面形状は、半円、三角形、四角形など、特に限定はしない。
【００２７】
さらに、防水用キャップ（１）の頭部（１ａ）形状は、人が手で摘むことが可能な限界の形状を考慮し、該頭部の上面と周側面の角部をアール状に面取りした形状に形成しており、カラスや鳩等が嘴でついばむことが出来ず、基材（Ｘ）から防水用キャップ（１）剥がされることはない。
【産業上の利用可能性】
【００２８】
この発明の建築工事において使用する防水用キャップの取付施工方法及び防水用キャップの技術を確立し、実施することにより産業上の利用可能性を有する。
【符号の説明】
【００２９】
１    防水用キャップ
１ａ  頭部
１ｂ  穴
１ｃ  凸条リブ  
１ｄ  底部
１ｅ  下縁部
２    固定部材
２ａ  頭部
３０  パラペレットの躯体、壁の躯体
４０  屋上防水シート材
５０  アルミ製・ステンレス製のアングル材
６０  笠木
７０  壁板材
Ｗ    シーリング材
Ｘ    基材
Ｙ    シール接着剤
Ｚ    防鳥用の針金
【図１】
2019131970.tif 000003
【図２】
2019131970.tif 000004
【図３】
2019131970.tif 000005
【図４】
2019131970.tif 000006
【図５】
2019131970.tif 000007
【図６】
2019131970.tif 000008
【手続補正書】
【提出日】平成30年2月1日(2018.2.1)
【手続補正１】
【補正対象書類名】明細書
【補正対象項目名】００２０
【補正方法】変更
【補正の内容】
【００２０】
また、前記基材（Ｘ）とは、例えば、図４に示すように、建築物の屋上部に位置するパラペットの躯体（３０）を被覆する屋上防水シート材（４０）の端部あるいは端部付近に設けるアルミ製・ステンレス製のアングル材（５０）、図５に示す笠木（６０）、さらに、図６に示すように、躯体を構成する壁に装着する壁板材（７０）等をいう。
【手続補正２】
【補正対象書類名】明細書
【補正対象項目名】００２９
【補正方法】変更
【補正の内容】
【００２９】
１    防水用キャップ
１ａ  頭部
１ｂ  穴
１ｃ  凸条リブ  
１ｄ  底部
１ｅ  下縁部
２    固定部材
２ａ  頭部
３０  パラペットの躯体、壁の躯体
４０  屋上防水シート材
５０  アルミ製・ステンレス製のアングル材
６０  笠木
７０  壁板材
Ｗ    シーリング材
Ｘ    基材
Ｙ    シール接着剤
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
屋上防水工事等の建築工事に使用し、頭部（１ａ）に穴（１ｂ）を穿設した防水用キャップ（１）を用い、建築物の屋上部、あるいは壁部の基材（Ｘ）にアンカーボルト等の固定部材（２）で締付固定した後、基材表面から露出した固定部材の頭部（２ａ）を、前記防水用キャップ（１）で被覆する施工作業において、
前記防水用キャップ（１）の内面下部付近に凸条リブ（１ｃ）を形成しておき、
該防水用キャップの底部（１ｄ）から、内部にシール接着剤（Ｙ）の適量を注入する工程と、
該シール接着剤（Ｙ）を充填した防水用キャップ（１）を、前記固定部材（２）の頭部（２ａ）に被せる工程と、
被せた防水用キャップ（１）の下縁部（１ｅ）を、基材（Ｘ）表面に圧着した後、防水用キャップ（１）を摺動しながら所定角度ほど回転させる工程と、
前記防水用キャップ（１）の頭部（１ａ）に穿設した穴（１ｂ）から溢出したシール接着剤（Ｘ）を拭き取り、キャップ内部をシール接着剤（Ｙ）で充填する工程からなる
ことを特徴とする建築工事において使用する防水用キャップの取付施工方法。
【請求項２】
前記摺動しながら所定の角度回転させる工程の、所定角度が、半回転（１８０度）乃至一回転（３６０度）内である
ことを特徴とする請求項１記載の建築工事において使用する防水用キャップの取付施工方法。
【請求項３】
前記防水用キャップ（１）の穴（１ｂ）に、適宜な長さの防鳥用の針金（Ｚ）を差し込む工程と、
針金（Ｚ）を差し込んだ防水用キャップ（１）の底部からシール接着剤（Ｙ）を注入し針金（Ｚ）とシール接着剤（Ｙ）を注入した防水用キャップ（１）を、基材（Ｘ）表面に圧着した後、防水用キャップ（１）を摺動しながら所定角度回転させて停止する工程からなる
ことを特徴とする請求項１または２記載の建築工事において使用する防水用キャップの取付施工方法。